(57)【要約】  本開示は、スケジューリング方法、装置、基地局、端末及びコンピュータ読み取り可能な記憶媒体を提供する。ここで、スケジューリング方法において、上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを含む。【選択図】図１
2021533709.tif 000002
【特許請求の範囲】
【請求項１】
基地局に応用されるスケジューリング方法であって、
上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを含む、スケジューリング方法。
【請求項２】
前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、
異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信することと、
共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送することとを含み、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する、請求項１に記載のスケジューリング方法。
【請求項３】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される、請求項２に記載のスケジューリング方法。
【請求項４】
各グループのスケジューリング情報は、互いに異なる、請求項２又は３に記載のスケジューリング方法。
【請求項５】
前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、さらに、
異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示することを含む、請求項２又は３に記載のスケジューリング方法。
【請求項６】
前記共通探索空間の送信時間間隔は、１スロットｓｌｏｔ未満である、請求項２に記載のスケジューリング方法。
【請求項７】
前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される、請求項２に記載のスケジューリング方法。
【請求項８】
現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれ、
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される、請求項７に記載のスケジューリング方法。
【請求項９】
新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられ、
情報フィールドと所定の端末との関係は、第３上位レイヤシグナリングで指示される情報フィールドインデックスによって決められ、
前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである、請求項７に記載のスケジューリング方法。
【請求項１０】
前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる、請求項２又は７に記載のスケジューリング方法。
【請求項１１】
前記ＤＣＩにおける情報フィールド毎の長さは、前記スケジューリング情報の個数から決められ、
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓであり、
又は、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、
前記残りのスケジューリング内容は、前記完全なスケジューリング内容のうち、スケジューリング情報に含まれない内容である、請求項２又は３に記載のスケジューリング方法。
【請求項１２】
端末に応用されるスケジューリング方法であって、
第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信することと、
前記スケジューリング指示情報に基づいて、前記Ｎグループのスケジューリング情報から１グループの目標スケジューリング情報を決定することと、
前記目標スケジュール情報に基づいて、データ伝送を行うか、又はスケジュールされていないことを取得することとを含む、スケジューリング方法。
【請求項１３】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される、請求項１２に記載のスケジューリング方法。
【請求項１４】
各グループのスケジューリング情報は、互いに異なる、請求項１２又は１３に記載のスケジューリング方法。
【請求項１５】
前記の第１上位レイヤシグナリングによって設定されたＮグループのスケジューリング情報及び下り制御情報ＤＣＩ内の前記端末に関する情報フィールドに含まれるスケジューリング指示情報を受信することは、
第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信することを含む、請求項１２に記載のスケジューリング方法。
【請求項１６】
前記の第１上位レイヤシグナリングによって設定されたＮグループのスケジューリング情報及び下り制御情報ＤＣＩ内の前記端末に関する情報フィールドに含まれるスケジューリング指示情報を受信することは、
第３上位レイヤシグナリングによって指示される情報フィールドのインデックスに基づいて、前記ＤＣＩ内の対応する情報フィールドから、前記端末のデータスケジューリングのためのスケジューリング指示情報を得ることを含む、請求項１５に記載のスケジューリング方法。
【請求項１７】
前記の第１上位レイヤシグナリングによって設定されたＮグループのスケジューリング情報及び下り制御情報ＤＣＩ内の前記端末に関する情報フィールドに含まれるスケジューリング指示情報を受信することは、
基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信することを含む、請求項１４に記載のスケジューリング方法。
【請求項１８】
前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである、請求項１２に記載のスケジューリング方法。
【請求項１９】
メモリと、プロセッサと、前記メモリに格納されて前記プロセッサで実行されるコンピュータプログラムを含む基地局であって、
前記プロセッサは、前記プログラムを実行すると、
上位レイヤシグナリングの事前設定と下り制御チャネルのマルチキャストとの組み合わせの方式を用いて、１つの下り制御情報ＤＣＩで少なくとも１つの端末のデータ伝送をスケジューリングするステップを実現する、基地局。
【請求項２０】
前記プロセッサは、具体的には、
異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、
共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する、請求項１９に記載の基地局。
【請求項２１】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される、請求項２０に記載の基地局。
【請求項２２】
各グループのスケジューリング情報は、互いに異なる、請求項２０又は２１に記載の基地局。
【請求項２３】
前記プロセッサは、さらに、
異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示する、請求項２０又は２１に記載の基地局。
【請求項２４】
前記共通探索空間の送信時間間隔は、１スロットｓｌｏｔ未満である、請求項２０に記載の基地局。
【請求項２５】
前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される、請求項２０に記載の基地局。
【請求項２６】
現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれ、
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される、請求項２５に記載の基地局。
【請求項２７】
新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられ、
情報フィールドと所定の端末との関係は、第３上位レイヤシグナリングで指示される情報フィールドインデックスによって決められ、
前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである、請求項２５に記載の基地局。
【請求項２８】
前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる、請求項２０又は２５に記載の基地局。
【請求項２９】
前記ＤＣＩにおける情報フィールド毎の長さは、前記スケジューリング情報の個数から決められ、
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓであり、
又は、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、
前記残りのスケジューリング内容は、前記完全なスケジューリング内容のうち、スケジューリング情報に含まれない内容である、請求項２０又は２１に記載の基地局。
【請求項３０】
メモリと、プロセッサと、トランシーバと、前記メモリに格納されて前記プロセッサで実行されるコンピュータプログラムを含む端末であって、
前記プロセッサは、前記プログラムを実行すると、
第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を、前記トランシーバで受信するステップと、
前記スケジューリング指示情報に基づいて、前記Ｎグループのスケジューリング情報から１グループの目標スケジューリング情報を決定するステップと、
前記目標スケジュール情報に基づいて、データ伝送を行うか、又はスケジュールされていないことを取得するステップとを実現する、端末。
【請求項３１】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される、請求項３０に記載の端末。
【請求項３２】
各グループのスケジューリング情報は、互いに異なる、請求項３０又は３１に記載の端末。
【請求項３３】
前記プロセッサは、具体的には、
第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する、請求項３０に記載の端末。
【請求項３４】
前記プロセッサは、具体的には、
第３上位レイヤシグナリングによって指示される情報フィールドのインデックスに基づいて、前記ＤＣＩ内の対応する情報フィールドから、前記端末のデータスケジューリングのためのスケジューリング指示情報を得る、請求項３３に記載の端末。
【請求項３５】
前記プロセッサは、具体的には、
基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信する、請求項３０に記載の端末。
【請求項３６】
前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである、請求項３０に記載の端末。
【請求項３７】
コンピュータプログラムが格納されているコンピュータ読み取り可能な媒体であって、
該プログラムがプロセッサによって実行されると、請求項１〜１１のいずれか１項に記載のスケジューリング方法のステップが実現され、
又は、該プログラムがプロセッサによって実行されると、請求項１２〜１８のいずれか１項に記載のスケジューリング方法のステップが実現される、コンピュータ読み取り可能な記憶媒体。
【請求項３８】
基地局に応用されるスケジューリング装置であって、
上位レイヤシグナリングの事前設定と下り制御チャネルのマルチキャストとの組み合わせの方式を用いて、１つの下り制御情報ＤＣＩで少なくとも１つの端末のデータ伝送をスケジューリングする第１処理モジュールを含む、スケジューリング装置。
【請求項３９】
前記第１処理モジュールは、第１処理サブモジュールと第２処理サブモジュールを含み、
前記第１処理サブモジュールは、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、ここで、異なる端末に対応する第１上位レイヤシグナリングが異なり、
前記第２処理サブモジュールは、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する、請求項３８に記載のスケジューリング装置。
【請求項４０】
端末に応用されるスケジューリング装置であって、
第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信する第１受信モジュールと、
前記スケジューリング指示情報に基づいて、前記Ｎグループのスケジューリング情報から１グループの目標スケジューリング情報を決定する第１決定モジュールと、
前記目標スケジュール情報に基づいて、データ伝送を行うか、又はスケジュールされていないことを取得する第２処理モジュールとを含む、スケジューリング装置。
【発明の詳細な説明】
【技術分野】
【０００１】
関連出願の相互参照
本願は、２０１８年８月１０日に中国特許庁に提出された中国特許出願２０１８１０９１２０８０．６の優先権を主張し、その全ての内容が援用によりここに取り込まれる。
本開示は、通信技術分野に係り、特にスケジューリング方法、装置、基地局、端末及びコンピュータ読み取り可能な記憶媒体に係る。
【背景技術】
【０００２】
端末は、データをスケジューリングする下り制御情報（ＤＣＩ）を共通探索空間（ＣＳＳ）又は端末固有探索空間（ＵＳＳ）内で検出して受信し、前記ＤＣＩには、完全なスケジューリング情報が含まれ、すなわち、異なる端末のスケジューリング情報は、それぞれ異なる下り制御チャネル（ＰＤＣＣＨ）で運ばれる。端末は、受信した自身に関するＤＣＩに基づいてデータの受信又は送信を行う。
【０００３】
しかしながら、関連技術のシステムでは、端末のデータ伝送スケジューリング情報は、物理層チャネルＰＤＣＣＨ上で運ばれるＤＣＩでしか送信されない。異なる端末のユニキャストデータは、異なるＰＤＣＣＨ候補（ｃａｎｄｉｄａｔｅ）によって運ばれる必要がある異なるＤＣＩによってスケジューリングされる。システム内で同時スケジューリングが必要な端末の数が多い場合、異なる端末のＰＤＣＣＨが衝突することにより、一部の端末のＤＣＩが成功に送信されず、システム遅延の増加を引き起こし、システム性能に影響を与える。特に、高信頼低遅延トラフィックの場合、よりロバストな伝送を保証する必要があるため、下り制御チャネルは、より大きなアグリゲーションレベルで伝送されることが多く、衝突確率の増加を招き、最終的にはスケジューリング遅延の増加を招く。ＰＤＣＣＨ信頼度を増加させながら、システムの面におけるリソース衝突確率をいかに低減させるかに関して、現在、明確な方法は存在しない。
【０００４】
すなわち、関連技術のシステムでは、データスケジューリングのための制御情報がＤＣＩに含まれ、すなわち、ＤＣＩは、完全なスケジューリング情報を含む必要がある。しかしながら、システム帯域幅が制限され、且つシステム内でスケジューリングされる端末の数が多い場合、ｐｅｒ  ＵＥのスケジューリングは、異なる端末のＰＤＣＣＨ衝突確率の上昇をもたらし、スケジューリング遅延の増加をもたらす。この問題をどのように解決するかは、現時点では明らかにされていない。
【発明の概要】
【発明が解決しようとする課題】
【０００５】
本開示の目的は、スケジューリングされる端末の数が多い場合、異なる端末のＰＤＣＣＨ衝突確率が上昇するという関連技術の問題を解決するために、スケジューリング方法、装置、基地局、端末及びコンピュータ読み取り可能な記憶媒体を提供することにある。
【課題を解決するための手段】
【０００６】
上記の技術課題を解決するために、本開示の実施例は、基地局に応用されるスケジューリング方法を提供し、上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを含む。
【０００７】
任意選択で、前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信することと、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送することとを含み、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【０００８】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０００９】
任意選択で、各グループのスケジューリング情報は、互いに異なる。
【００１０】
任意選択で、前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、さらに、異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示することを含む。
【００１１】
任意選択で、前記共通探索空間の送信時間間隔は、１スロットｓｌｏｔ未満である。
【００１２】
任意選択で、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
【００１３】
任意選択で、現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。
【００１４】
任意選択で、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
【００１５】
任意選択で、新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【００１６】
任意選択で、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【００１７】
任意選択で、前記ＤＣＩにおける情報フィールド毎の長さは、前記スケジューリング情報の個数から決められる。
【００１８】
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【００１９】
任意選択で、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【００２０】
本開示の実施例は、端末に応用されるスケジューリング方法をさらに提供し、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信することと、前記スケジューリング指示情報に基づいて、前記Ｎグループのスケジューリング情報から１グループの目標スケジューリング情報を決定することと、前記目標スケジュール情報に基づいて、データ伝送を行うか、又はスケジュールされていないことを取得することとを含む。
【００２１】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００２２】
任意選択で、各グループのスケジューリング情報は、互いに異なる。
【００２３】
任意選択で、前記の第１上位レイヤシグナリングによって設定されたＮグループのスケジューリング情報及び下り制御情報ＤＣＩ内の前記端末に関する情報フィールドに含まれるスケジューリング指示情報を受信することは、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信することを含む。
【００２４】
任意選択で、前記の第１上位レイヤシグナリングによって設定されたＮグループのスケジューリング情報及び下り制御情報ＤＣＩ内の前記端末に関する情報フィールドに含まれるスケジューリング指示情報を受信することは、第３上位レイヤシグナリングによって指示される情報フィールドのインデックスに基づいて、前記ＤＣＩ内の対応する情報フィールドから、前記端末のデータスケジューリングのためのスケジューリング指示情報を得ることを含む。
【００２５】
任意選択で、前記の第１上位レイヤシグナリングによって設定されたＮグループのスケジューリング情報及び下り制御情報ＤＣＩ内の前記端末に関する情報フィールドに含まれるスケジューリング指示情報を受信することは、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信することを含む。
【００２６】
任意選択で、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【００２７】
本開示の実施例は、メモリと、プロセッサと、前記メモリに格納されて前記プロセッサで実行されるコンピュータプログラムを含む基地局をさらに提供し、前記プロセッサは、前記プログラムを実行すると、上位レイヤシグナリングの事前設定と下り制御チャネルのマルチキャストとの組み合わせの方式を用いて、１つの下り制御情報ＤＣＩで少なくとも１つの端末のデータ伝送をスケジューリングするステップを実現する。
【００２８】
任意選択で、前記プロセッサは、具体的には、異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【００２９】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００３０】
任意選択で、各グループのスケジューリング情報は、互いに異なる。
【００３１】
任意選択で、前記プロセッサは、さらに、異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示する。
【００３２】
任意選択で、前記共通探索空間の送信時間間隔は、１スロットｓｌｏｔ未満である。
【００３３】
任意選択で、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
【００３４】
任意選択で、現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。
【００３５】
任意選択で、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
【００３６】
任意選択で、新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【００３７】
任意選択で、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【００３８】
任意選択で、前記ＤＣＩにおける情報フィールド毎の長さは、前記スケジューリング情報の個数から決められる。
【００３９】
任意選択で、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【００４０】
任意選択で、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【００４１】
本開示の実施例は、メモリと、プロセッサと、トランシーバと、前記メモリに格納されて前記プロセッサで実行されるコンピュータプログラムを含む端末をさらに提供し、前記プロセッサは、前記プログラムを実行すると、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を、前記トランシーバで受信するステップと、前記スケジューリング指示情報に基づいて、前記Ｎグループのスケジューリング情報から１グループの目標スケジューリング情報を決定するステップと、前記目標スケジュール情報に基づいて、データ伝送を行うか、又はスケジュールされていないことを取得するステップとを実現する。
【００４２】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００４３】
任意選択で、各グループのスケジューリング情報は、互いに異なる。
【００４４】
任意選択で、前記プロセッサは、具体的には、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する。
【００４５】
任意選択で、前記プロセッサは、具体的には、第３上位レイヤシグナリングによって指示される情報フィールドのインデックスに基づいて、前記ＤＣＩ内の対応する情報フィールドから、前記端末のデータスケジューリングのためのスケジューリング指示情報を得る。
【００４６】
任意選択で、前記プロセッサは、具体的には、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信する。
【００４７】
任意選択で、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【００４８】
本開示の実施例は、コンピュータプログラムが格納されているコンピュータ読み取り可能な記憶媒体をさらに提供し、該プログラムがプロセッサによって実行されると、上記のスケジューリング方法のステップが実現される。
【００４９】
本開示の実施例は、基地局に応用されるスケジューリング装置をさらに提供し、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする第１処理モジュールを含む。
【００５０】
任意選択で、前記第１処理モジュールは、第１処理サブモジュールと第２処理サブモジュールを含む。前記第１処理サブモジュールは、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、ここで、異なる端末に対応する第１上位レイヤシグナリングが異なる。前記第２処理サブモジュールは、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【００５１】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００５２】
任意選択で、各グループのスケジューリング情報は、互いに異なる。
【００５３】
任意選択で、前記第１処理モジュールは、さらに、第３処理サブモジュールを含む。前記第３処理サブモジュールは、対応する端末のデータスケジューリングのためのスケジューリング指示情報の前記ＤＣＩにおける情報フィールドのインデックスを、異なる第３上位レイヤシグナリングによりそれぞれ指示し、異なる端末に対応する第３上位レイヤシグナリングが異なる。
【００５４】
任意選択で、前記共通探索空間の送信時間間隔は、１スロットｓｌｏｔ未満である。
【００５５】
任意選択で、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
【００５６】
任意選択で、現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。
【００５７】
任意選択で、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
【００５８】
任意選択で、新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【００５９】
任意選択で、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【００６０】
任意選択で、前記ＤＣＩにおける情報フィールド毎の長さは、前記スケジューリング情報の個数から決められる。
【００６１】
任意選択で、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【００６２】
任意選択で、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【００６３】
本開示の実施例は、端末に応用されるスケジューリング装置をさらに提供し、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信する第１受信モジュールと、前記スケジューリング指示情報に基づいて、前記Ｎグループのスケジューリング情報から１グループの目標スケジューリング情報を決定する第１決定モジュールと、前記目標スケジュール情報に基づいて、データ伝送を行うか、又はスケジュールされていないことを取得する第２処理モジュールとを含む。
【００６４】
任意選択で、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００６５】
任意選択で、各グループのスケジューリング情報は、互いに異なる。
【００６６】
任意選択で、前記第１受信モジュールは、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する第４処理サブモジュールを含む。
【００６７】
任意選択で、前記第１受信モジュールは、第３上位レイヤシグナリングによって指示される情報フィールドのインデックスに基づいて、前記ＤＣＩ内の対応する情報フィールドから、前記端末のデータスケジューリングのためのスケジューリング指示情報を得る第５処理サブモジュールを含む。
【００６８】
任意選択で、前記第１受信モジュールは、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信する第６処理サブモジュールを含む。
【００６９】
任意選択で、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【発明の効果】
【００７０】
上記技術手段において、前記スケジューリング方法は、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【００７１】
本開示の実施例の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００７２】
【図１】図１は、本開示の実施例に係るスケジューリング方法のフローチャートその１である。
【図２】図２は、本開示の実施例に係るスケジューリング方法のフローチャートその２である。
【図３】図３は、本開示の実施例に係るスケジューリング方法の実現概略図である。
【図４】図４は、本開示の実施例に係る基地局の構造図である。
【図５】図５は、本開示の実施例に係る端末の構造図である。
【図６】図６は、本開示の実施例に係るスケジューリング装置の構造図その１である。
【図７】図７は、本開示の実施例に係るスケジューリング装置の構造図その２である。
【発明を実施するための最良の形態】
【００７３】
本開示の解決しようとする技術課題、技術手段及び利点をより明確にするために、以下、図面及び具体的な実施例を参照して詳細に記載する。
【００７４】
本開示は、スケジューリングされる端末の数が多い場合、異なる端末のＰＤＣＣＨ衝突確率が上昇するという関連技術の問題に対し、基地局に応用されるスケジューリング方法を提供し、図１に示すように、上位レイヤシグナリングの事前設定と下り制御チャネルのマルチキャストとの組み合わせの方式を用いて、１つの下り制御情報ＤＣＩで少なくとも１つの端末のデータ伝送をスケジューリングするステップ１１を含む。
【００７５】
本開示の実施例に係る前記スケジューリング方法は、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【００７６】
具体的には、前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信することと、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送することとを含み、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【００７７】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００７８】
各グループのスケジューリング情報は、互いに異なる。
【００７９】
更に、前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、さらに、異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示することを含む。
【００８０】
ここで、情報フィールドのインデックスは、具体的には情報フィールド番号であり、ここでは限定されない。
【００８１】
本開示の実施例において、前記共通探索空間の送信時間間隔は、１スロットｓｌｏｔ未満である。
【００８２】
具体的には、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
（１）現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。ここで、前記ＤＣＩの長さは、多重化されたＤＣＩの現在の帯域幅部分ＢＷＰにおける長さと同じであり、すなわち、多重化されたＤＣＩの長さは、変わらない。
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
（２）新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【００８３】
本開示の実施例において、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【００８４】
前記ＤＣＩにおける情報フィールド毎の長さは、前記スケジューリング情報の個数から決められる。
【００８５】
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【００８６】
各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【００８７】
ここで、本開示の実施例に係る上位レイヤシグナリングは、端末固有の無線リソース制御信号ＵＥ−ｓｐｅｃｉｆｉｃ  ＲＲＣ  ｓｉｇｎａｌｉｎｇであり、ただし、これに限定されない。
【００８８】
基地局側のスケジューリング方法は、主に、上位レイヤシグナリングによって設定されたスケジューリング情報に従ってデータスケジューリングを行うように端末に指示することである。
【００８９】
本開示の実施例は、端末に応用されるスケジューリング方法をさらに提供し、図２に示すように、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信するステップ２１と、前記スケジューリング指示情報に基づいて、前記Ｎグループのスケジューリング情報から１グループの目標スケジューリング情報を決定するステップ２２と、前記目標スケジュール情報に基づいて、データ伝送を行うか、又はスケジュールされていないことを取得するステップ２３とを含む。
【００９０】
本開示の実施例に係る前記スケジューリング方法は、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信し、前記スケジューリング指示情報に基づいて、前記Ｎグループのスケジューリング情報から１グループの目標スケジューリング情報を決定し、前記目標スケジュール情報に基づいて、データ伝送を行うか、又はスケジュールされていないことを取得する。それによって、基地局が、上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを実現することができる。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【００９１】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【００９２】
各グループのスケジューリング情報は、互いに異なる。
【００９３】
具体的には、前記の第１上位レイヤシグナリングによって設定されたＮグループのスケジューリング情報及び下り制御情報ＤＣＩ内の前記端末に関する情報フィールドに含まれるスケジューリング指示情報を受信することは、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信することを含む。
【００９４】
また、前記の第１上位レイヤシグナリングによって設定されたＮグループのスケジューリング情報及び下り制御情報ＤＣＩ内の前記端末に関する情報フィールドに含まれるスケジューリング指示情報を受信することは、第３上位レイヤシグナリングによって指示される情報フィールドのインデックスに基づいて、前記ＤＣＩ内の対応する情報フィールドから、前記端末のデータスケジューリングのためのスケジューリング指示情報を得ることを含む。
【００９５】
具体的には、前記の第１上位レイヤシグナリングによって設定されたＮグループのスケジューリング情報及び下り制御情報ＤＣＩ内の前記端末に関する情報フィールドに含まれるスケジューリング指示情報を受信することは、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信することを含む。
【００９６】
本開示の実施例において、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【００９７】
以下、基地局と端末の両側から、本開示の実施例に係る前記スケジューリング方法を更に説明する。
【００９８】
上記技術課題に対し、本開示の実施例においてスケジューリング方法を提供し、主に、基地局は、上位レイヤシグナリングと物理層シグナリングとの組み合わせの方式を用いて、１つの下り制御情報ＤＣＩで少なくとも１つの端末のデータ伝送をスケジューリングする。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。
【００９９】
ここで、基地局側では、主に、基地局は、少なくとも１つ（１以上の正の整数であるＹとする）の端末に対し、異なる上位レイヤシグナリング（例えばＲＲＣ  ｓｉｇｎａｌｉｎｇ）によりＮ（Ｎは、１以上の正の整数）グループのスケジューリング情報をそれぞれ設定し、下り制御チャネルが運ぶ下り制御情報を共通探索空間で伝送することによって、Ｚ（Ｚは、１以上の正の整数であり、且つＹ以下である）個の端末に対し、自身に対応する前記Ｎグループのスケジューリング情報のうちのいずれに基づいてデータ伝送（送信又は受信）を行うように指示する。
【０１００】
具体的には、第１部分として、基地局は、異なる第１上位レイヤシグナリング（例えばＲＲＣ  ｓｉｇｎａｌｉｎｇ）により、異なる端末に対応する第１上位レイヤシグナリングが異なるように、予めＹ個の端末に対してＮグループのスケジューリング情報をそれぞれ設定する。
ここで、（１）前記各グループのスケジューリング情報は、時間周波数領域リソース割り当て、変調および符号化スキームＭＣＳ、アンテナポート関連設定、ハイブリッド自動再送要求識別フラグＨＡＲＱ  ＩＤなどの完全なスケジューリング情報（完全なスケジューリング内容とも呼ばれる）を含む。
又は、各グループのスケジューリング情報は、一部のスケジューリング情報（完全なスケジューリング内容のうちの一部のスケジューリング内容）を含み、他のスケジューリング情報（残りのスケジューリング内容）は、予め定義されて決められ、又は、予め第２上位レイヤシグナリングによって設定され、又は、物理レイヤシグナリングによって動的に指示される。
（２）上位レイヤシグナリングによって設定される各グループのスケジューリング情報は、互いに異なる。
さらに、基地局は、対応する端末のデータスケジューリングのためのスケジューリング指示情報のＤＣＩにおける情報フィールドのインデックスを、異なる第３上位レイヤシグナリングによりそれぞれ指示する。異なる端末に対応する第３上位レイヤシグナリングは、異なる。
【０１０１】
第２部分として、基地局は、Ｌ１シグナリング（ＰＤＣＣＨ上で運ばれる下り制御情報ＤＣＩ）によってＺ個の端末のスケジューリング情報指示を送信する。
ここで、（１）Ｚ個の端末のスケジューリング情報を含むＤＣＩを運ぶ前記ＰＤＣＣＨは、共通探索空間（ＣＳＳ）で送信される。探索空間の送信時間間隔は、１ｓｌｏｔ未満である。即ち、１ｓｌｏｔ内の任意の下りシンボル上で送信することができる。
（２）前記下り制御情報ＤＣＩは、現在定義されているＤＣＩ  ｆｏｒｍａｔを多重化して送信され、又は、新規のＤＣＩ  ｆｏｒｍａｔを導入することによって送信される。
ａ．現在のＤＣＩ  ｆｏｒｍａｔを多重化する場合、基地局が、現在の１つのＤＣＩ  ｆｏｒｍａｔをＺ個の端末のスケジューリング情報の伝送に用いることを所定のフラグで指示する際に、前記ＤＣＩに前記Ｚ個の端末の情報フィールド（スケジューリング指示情報フィールドとも呼ばれる）が含まれる。前記ＤＣＩの長さは、多重化されたＤＣＩの現在のＢＷＰにおける長さと同じである。
前記所定のフラグは、ＣＲＣをスクランブルするために使用される異なるＲＮＴＩ値、又はｆｒｏｚｅｎ  ｂｉｔｓ上で搬送される指示情報、又は前記ＤＣＩに含まれる明示的指示情報フィールド（現在のＤＣＩの用途を指示するために使用される）であり、又は前記ＤＣＩに含まれる一部の情報フィールドは、所定の値に設定され、又は前記ＤＣＩは、特定の番号の探索空間内で伝送される。
ｂ．新規のＤＣＩ  ｆｏｒｍａｔを導入する場合、前記ＤＣＩに前記Ｚ個の端末の情報フィールドが含まれ、各情報フィールドは、特定の端末のスケジューリングに用いられ、それらの関係は、第３上位レイヤシグナリングで指示される端末の情報フィールドインデックスｉｎｄｅｘによって決められる。該ＤＣＩ  ｆｏｒｍａｔの長さは、ｉｎｉｔｉａｌ  ＢＷＰから決定されるＤＣＩ  ｆｏｒｍａｔ０−０又はＤＣＩ  ｆｏｒｍａｔ１−０のサイズ（長さ）と同じである。
（３）前記ＤＣＩにおける情報フィールド毎の長さは、第１上位レイヤシグナリングによって設定されたスケジューリング情報の個数から決められる。
ａ．データスケジューリングに必要なすべての情報が第１上位レイヤシグナリングによって設定され（各グループのスケジューリング情報が完全なスケジューリング内容を含む）、例えばＮ種類の異なるスケジューリング情報が設定されると、前記ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
ｂ．データスケジューリングに必要な一部の情報が第１上位レイヤシグナリングによって設定され（各グループのスケジューリング情報が完全なスケジューリング内容のうちの一部のスケジューリング内容を含む）、前記ＤＣＩにおける情報フィールドは、第１上位レイヤシグナリングによって設定されたスケジューリング内容を指示し、且つ残りのスケジューリング情報（残りのスケジューリング内容）を同時に動的に指示することが可能であり、スケジューリングに必要な他の情報（残りのスケジューリング情報）は、Ｌ１シグナリングによって指示される必要がなく、第２上位レイヤシグナリングによって予め設定される。
上記２つの場合、例えば、第１上位レイヤシグナリングにより２つの時間周波数領域リソース割り当て、４つのＨＡＲＱ  ｐｒｏｃｅｓｓ（ハイブリッド自動再送要求プロセス）を設定する場合、情報フィールド毎の長さは、ｃｅｉｌ（ｌｏｇ２（４×２＋１））ｂｉｔｓであり、基地局が端末のデータ伝送をスケジューリングする際に使用するＨＡＲＱ  ｐｒｏｃｅｓｓ及び時間周波数領域リソース割り当ての組み合わせを指示し、追加の１つの状態は、端末がスケジューリングされていないことを示す。
前記スケジューリング情報における各サブ情報の組み合わせは、任意であり、上記のようなスケジューリング情報における各サブ情報の組み合わせに限定されない。例えば、第１上位レイヤシグナリングは、２つの時間周波数リソース割り当て、４つのＨＡＲＱ  ｐｒｏｃｅｓｓ、再送に関する新規データフラグＮＤＩ（ｎｅｗ  ｄａｔａ  ｉｎｄｉｃａｔｏｒ）及び冗長バージョンＲＶ（Ｒｅｄｕｎｄａｎｃｙ  ｒｅｖｅｒｓｉｏｎ）を設定する場合、情報フィールド毎の長さは、ｃｅｉｌ（ｌｏｇ２（４×２×２×４＋１））＝７７ｂｉｔｓであり、基地局が端末のデータ伝送をスケジューリングする際に使用するリソース割り当てＲＡ（ｒｅｓｏｕｒｃｅ  ａｌｌｏｃａｔｉｏｎ）、ＨＡＲＱ  ｐｒｏｃｅｓｓ、ＮＤＩ及びＲＶの組み合わせを指示する。Ｃｅｉｌは、上方に丸めることを示す。
（４）前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。Ｆｌｏｏｒは、下方に丸めることを示す。
【０１０２】
端末側では、主に、端末は、第１上位レイヤシグナリング（例えばＲＲＣ  ｓｉｇｎａｌｉｎｇ）により設定されたスケジューリング情報及びＤＣＩにおける自身に関するスケジューリング指示情報に基づいて、どのようにデータチャネルを送受信する（データ伝送を行う）かを決定する。
【０１０３】
具体的には、第１部分として、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する。
【０１０４】
具体的には、端末は、基地局から送信された端末固有の無線リソース制御信号ＵＥ−ｓｐｅｃｉｆｉｃ  ＲＲＣ  ｓｉｇｎａｌｉｎｇを受信し、複数のスケジューリング情報及び前記端末のスケジューリング指示情報が伝送される情報フィールドの番号を取得する。
【０１０５】
更に、端末は、第３上位レイヤシグナリングによって通知された情報フィールドの番号に基づいて、対応する情報フィールドからスケジューリング指示情報を得る。
【０１０６】
更に、端末は、前記スケジューリング指示情報に基づいて、第１上位レイヤシグナリングによって設定されたスケジューリング情報と共に、自身のデータをどのように受信又は送信するかを決定する。
【０１０７】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０１０８】
任意選択で、各グループのスケジューリング情報は、互いに異なる。
【０１０９】
第２部分として、端末は、Ｚ個の端末のスケジューリング指示情報を含むＤＣＩを、基地局によって設定されたＰＤＣＣＨ  ｍｏｎｉｔｏｒｉｎｇ  ｏｃｃａｓｉｏｎ上で検出して受信する。
【０１１０】
前記ＤＣＩのフォーマットは、現在定義されているＤＣＩ  ｆｏｒｍａｔ、又はＺ個の端末のスケジューリングのために導入された全く新しいＤＣＩ  ｆｏｒｍａｔである。
【０１１１】
ここで、Ｚは、１以上の正の整数であり、且つＹ以下であり、Ｙは、基地局からＮグループのスケジューリング情報が設定された端末の総数である。
【０１１２】
以下、本開示の実施例に係る前記スケジューリング方法を例示的に説明する。
【０１１３】
例１：基地局は、ＲＲＣ  ｓｉｇｎａｌｉｎｇにより、複数（１以上の正の整数であるＹとする）個の端末に対して、Ｎ（Ｎは、１以上の正の整数）グループのスケジューリング情報をそれぞれ設定するとする。各スケジューリング情報は、例えば周波数領域リソース割り当て、時間領域リソース割り当て、ＭＣＳ、ＨＡＲＱ関連情報、マルチ入力マルチ出力ＭＩＭＯ関連情報などの完全なスケジューリング情報を含む。異なるスケジューリング情報グループに含まれる内容は、異なる。例えば、スケジューリング情報グループ１では、周波数領域リソースが周波数領域リソース割り当てＦＲＡ（Ｆｒｅｑｕｅｎｃｙ  ｒｅｓｏｕｒｃｅ  ａｌｌｏｃａｔｉｏｎ）１であり、時間領域リソースが時間領域リソース割り当てＴＲＡ（Ｔｉｍｅ  ｄｏｍａｉｎ  ｒｅｓｏｕｒｃｅ  ａｌｌｏｃａｔｉｏｎ）１であり、ＭＣＳ１であり、ＨＡＲＱ  ｐｒｏｃｅｓｓ  ＩＤ（ハイブリッド自動再送要求プロセス識別フラグ）＝１であり、伝送に使用されるアンテナポートがアンテナポートＡＰ（ａｎｔｅｎｎａ  ｐｏｒｔ）１であり、スケジューリング情報グループ２では、周波数領域リソースがＦＲＡ２であり、時間領域リソースがＴＲＡ２であり、ＭＣＳ２であり、ＨＡＲＱ  ｐｒｏｃｅｓｓ  ＩＤ＝２であり、使用されるアンテナポートがＡＰ２であり、このように類推する。同時に、基地局は、ＤＣＩにおいて端末のスケジューリング情報を指示する情報フィールドの番号を端末固有のＲＲＣ  ｓｉｇｎａｌｉｎｇ上で通知し、例えば、ＵＥ１のスケジューリング情報は、ＤＣＩ１内の最初の情報フィールドの指示情報によって通知される。
【０１１４】
端末のデータ伝送をスケジューリングするためのＤＣＩには、複数（１以上の正の整数であり且つＹ以下であるＺとする）個の端末のスケジューリング指示情報が含まれる。該ＤＣＩにおける異なる情報フィールドは、異なる端末のデータ伝送をスケジューリングするために使用され、且つ共通探索空間（ＣＳＳ）で伝送される。端末は、基地局によって設定された監視周期に基づいて、決定された時間領域位置上で前記ＤＣＩを検出して受信する。遅延を低減するために、前記ＤＣＩを送信する探索空間の監視周期は、１ｓｌｏｔ未満である。例えば、２つの監視位置の間の間隔は、Ｑ（Ｑは、０以上の整数）個の直交周波数分割多重ＯＦＤＭシンボルである。追加のブラインド検出の回数を増加させないために、前記ＤＣＩのペイロードサイズｐａｙｌｏａｄ  ｓｉｚｅは、ＣＳＳで伝送される他のｆａｌｌｂａｃｋ（フォールバック）  ＤＣＩ  ｆｏｒｍａｔのサイズと同じである。
【０１１５】
具体的には、基地局がＹ個の端末に対してＮ＝８組のスケジューリング情報を設定したとすると、対応するＺ個の端末のスケジューリング指示情報を運ぶＤＣＩにおける各情報フィールドの長さは、ｃｅｉｌ（ｌｏｇ２（８＋１））＝４ｂｉｔｓである。ＣＳＳで伝送されるｆａｌｌｂａｃｋ  ＤＣＩサイズが４１ｂｉｔｓであると仮定すると、前記ＤＣＩ  ｆｏｒｍａｔ  Ｘ（新たに導入されたＤＣＩ  ｆｏｒｍａｔを示す）のｐａｙｌｏａｄ  ｓｉｚｅも４１ｂｉｔｓであり、この中に４ｂｉｔｓの長さを有する１０個の情報フィールドが含まれる。
【０１１６】
具体的には、基地局から通知されるＮ＝８種類の異なるスケジューリング情報は、テーブルの形式で設定され、テーブルの各行は、１種のスケジューリング情報を示す。例えば、基地局によって設定されるテーブルは、以下である。
【０１１７】
【表１】
2021533709.tif 000003
【０１１８】
基地局が端末ＵＥ１に対し設定した情報フィールドｉｎｄｅｘを１とし、すなわち端末は、端末グループをスケジューリングするＤＣＩを検出して受信すると、該ＤＣＩのうちの最初のｂｉｔ  ｆｉｅｌｄからスケジューリング情報を決定する。例えば、該情報フィールドにおける指示ｂｉｔが００００である場合、端末は、基地局によって設定された完全なスケジューリング情報１に基づいてデータの送信又は受信を行う。また例えば、該情報フィールドにおける指示ｂｉｔが１０００であれば、端末ＵＥ１が現時点でスケジューリングされていないことを意味し、ＵＥ１は、データを送信も受信もしない。
【０１１９】
図３に示すように、１スロットｓｌｏｔの２つのＰＤＣＣＨ  ｍｏｎｉｔｏｒｉｎｇ  ｏｃｃａｓｉｏｎ内で、端末グループのデータ伝送をスケジューリングするＤＣＩ（前記ＤＣＩには、端末ＵＥ１−ＵＥ１０のスケジューリング指示情報が含まれる）を送信する。図３に示す最初のＰＤＣＣＨ  ｍｏｎｉｔｏｒｉｎｇ  ｏｃｃａｓｉｏｎで送信されるＤＣＩは、端末ＵＥ１、ＵＥ２及びＵＥ３がデータの受信を行うようにスケジューリングする。すなわち、ＵＥ１は、ＤＣＩ内の対応する情報フィールドに含まれるスケジューリング指示情報から、その下りスケジューリングＤＬ  ａｓｓｉｇｎｍｅｎｔ情報を取得し、この情報に基づいてデータの受信を行い、ＵＥ２及びＵＥ３も同様である。他の端末（  ＵＥ４−ＵＥ１０）は、この時点ではスケジューリングされていない。図示されているように、２番目のＰＤＣＣＨ  ｍｏｎｉｔｏｒｉｎｇ  ｏｃｃａｓｉｏｎで送信されるＤＣＩは、端末ＵＥ６、ＵＥ８及びＵＥ１０をスケジューリングする。ＵＥ６、ＵＥ８及びＵＥ１０は、それぞれの情報フィールドで指示される下り割り当て（ＤＬ  ａｓｓｉｇｎｍｅｎｔ）１、２、３に従ってデータを受信する。図中のｅは、探索空間監視タイミングＳｅａｒｃｈ  ｓｐａｃｅ  ｍｏｎｉｔｏｒｉｎｇ  ｏｃｃａｓｉｏｎｓを示す。
【０１２０】
例２：例１に対し、共通探索空間で伝送されるＺ個の端末のスケジューリング指示情報を運ぶＤＣＩにおける各ＵＥ−ｓｐｅｃｉｆｉｃ情報フィールドの長さは、ｃｅｉｌ（ｌｏｇ２（Ｎ））で決定される。ここで、Ｎは、基地局から第１上位レイヤシグナリングによって設定された互いに異なるスケジューリング情報の個数（グループ数）である。例えば、Ｎ＝７である場合、前記ＤＣＩにおける各ＵＥ−ｓｐｅｃｉｆｉｃの情報フィールドの長さは、３ｂｉｔｓである。基地局が、対応するＵＥ−ｓｐｅｃｉｆｉｃ情報フィールドのスケジューリング指示情報により、基地局によって設定されないＳｃｈｅｄｕｌｉｎｇ  ｉｎｆｏｒｍａｔｉｏｎ  ｉｎｄｅｘ又はｒｅｓｅｒｖｅｄであるテーブル行インデックスａｒｒａｙ  ｉｎｄｅｘを指示する場合、該端末が現時点でスケジューリングされていないことを示す。
【０１２１】
例３：例１および例２の記載に対し、基地局がＲＲＣ  ｓｉｇｎａｌｉｎｇによって設定する異なるスケジューリング情報の数に制限はない。例えば、基地局がＲＲＣ  ｓｉｇｎａｌｉｎｇによって設定する異なるスケジューリング情報の数は、同一ＤＣＩによってスケジューリングされる端末の数よりも大きい。
【０１２２】
例４：例１および例３の記載に対し、１グループの端末のスケジューリング指示情報を伝送するために使用されるＤＣＩ  ｆｏｒｍａｔは、現在定義されているＤＣＩ  ｆｏｒｍａｔである。基地局は、ＤＣＩにおける情報フィールドが現在の２１２プロトコルで定義された内容ｃｏｎｔｅｎｔに定義され、又は異なる端末をスケジューリングするスケジューリング情報のｃｏｎｔｅｎｔであることを、一定の指示情報（所定のフラグ）によって指示する。具体的な方法は、以下を含むが、限定されない。
ＤＣＩに追加されたＣＲＣが特定のＲＮＴＩでスクランブルされる場合、該ＤＣＩには、Ｚ個の端末をスケジューリングする情報フィールドが含まれ、各情報フィールドは、第１上位レイヤシグナリングによって設定されたスケジューリング情報とともに、特定の端末のデータ伝送をスケジューリングする。
ＤＣＩが分極符号ｐｏｌａｒで符号化された後にｆｒｏｚｅｎ  ｂｉｔｓ上で搬送される情報が、該ＤＣＩにＺ個の端末をスケジューリングする情報フィールドが含まれることを指示する場合、各情報フィールドは、第１上位レイヤシグナリングによって設定されたスケジューリング情報と共に、特定の端末のデータ伝送をスケジューリングする。
ＤＣＩ内の一部の情報フィールドが無効値に設定される場合、該ＤＣＩには、Ｚ個の端末をスケジューリングする情報フィールドが含まれ、各情報フィールドは、第１上位レイヤシグナリングによって設定されたスケジューリング情報と共に、特定の端末のデータ伝送をスケジューリングする。
ＤＣＩが特定の探索空間内で伝送される場合、例えば、特定の番号を持つ探索空間で伝送されるＤＣＩ  ｆｏｒｍａｔ０−０又はＤＣＩ  ｆｏｒｍａｔ１−０が、Ｚ個の端末のデータ伝送のスケジューリングに用いられることを、上位レイヤによって設定すると、各情報フィールドは、第１上位レイヤシグナリングによって設定されたスケジューリング情報と共に、特定の端末のデータ伝送をスケジューリングする。
ＤＣＩ応用シナリオを指示する明示的指示フィールドを現在定義されているＤＣＩ  ｆｏｒｍａｔに追加して、ＤＣＩの具体的な用途を指示する。例えば、１ｂｉｔの情報フィールドが導入され、０は、該ＤＣＩが通常スケジューリングに使用されることを示し、１は、該ＤＣＩがＺ個の端末のデータ伝送をスケジューリングするために使用されることを示す。
【０１２３】
例５：基地局が、スケジューリングに必要な一部の情報をＲＲＣ  ｓｉｇｎａｌｉｎｇによって端末に対して設定するとし、例えば複数の時間周波数領域リソース割り当てを設定し、複数のＭＣＳを設定し、複数の可能な伝送ポートを設定する。更に、基地局は、共通探索空間で伝送されるＤＣＩによってＺ個の端末をスケジューリングし、且つ前記ＤＣＩ内の各情報フィールドは、異なる端末のスケジューリング情報を指示するために使用される。
【０１２４】
ＤＣＩ内の各情報フィールドに対応するスケジューリング指示情報は、第１上位レイヤシグナリングによって設定された異なるスケジューリング情報を指示する。
【０１２５】
基地局が、２つの異なる時間周波数領域リソース割り当て、２つの異なるＭＣＳレベルを設定し、他のスケジューリング情報がいずれも１つである（すなわち、第２上位レイヤシグナリングによって一定にされている）と仮定する。すると、ＤＣＩ内の各情報フィールドの長さは、ｃｅｉｌ（ｌｏｇ２（２×２））＝２ｂｉｔｓであり、端末のデータ伝送に使用される時間周波数リソース割り当てとＭＣＳの異なる組み合わせを指示する。この例では、時間周波数領域リソース割り当て｛ＲＡ１，ＲＡ２｝とＭＣＳ｛ＭＣＳ１，ＭＣＳ２｝は、計４つの異なる組み合わせを有する。すると、２ｂｉｔｓの指示情報の異なる情報状態は、異なるスケジューリングスキームを示す。例えば００は、ＲＡ１＋ＭＣＳ１を示し、０１は、ＲＡ１＋ＭＣＳ２を示し、１０は、ＲＡ２＋ＭＣＳ１を示し、１１は、ＲＡ２＋ＭＣＳ２を示す。もちろん、各情報フィールドの長さは、３ｂｉｔでもよく、残りの状態は、該端末が現時点でスケジューリングされていないことを示す。
【０１２６】
さらに、ＣＳＳで伝送されるＰＤＣＣＨによって運ばれるＤＣＩにおける各情報フィールドは、より多くの内容を含んでもよい。例えば、再送のサポートが必要である場合、例えばＨＡＲＱ  ＩＤ、ＮＤＩ、ＲＶなどの再送関連情報は、各情報フィールドで搬送される。この例によれば、各情報フィールドの長さは、ｃｅｉｌ（ｌｏｇ２（２×２×４×２×２））＝６ｂｉｔｓである。すなわち、各情報フィールドは、６４の異なるスケジューリングの組み合わせを指示する。さらに、情報フィールドの長さは、７ｂｉｔｓでもよく、残りのｂｉｔ状態は、端末がその時点でスケジューリングされていないことを指示するために使用される。
【０１２７】
ここで、ＲＲＣ  ｓｉｇｎａｌｉｎｇの設定方法、ＤＣＩにおける異なる情報フィールドと端末との対応関係、及びＤＣＩの伝送方法などは、例１における関連内容によって実現されてもよいので、ここで繰り返し述べない。
【０１２８】
例６：例１〜例５に記載の方法に対し、上りデータスケジューリングにも下りデータスケジューリングにも用いることができ、ここでは限定しない。
【０１２９】
以上から、本開示の実施例に係る解決策は、主に以下であることが分かる。
−基地局は、上位レイヤシグナリング（ＲＲＣ  ｓｉｇｎａｌｉｎｇ）の事前設定と、下り制御チャネルのマルチキャストの組み合わせの方式で、１つのＤＣＩにより複数の端末のデータ伝送を同時にスケジューリングする。
−端末は、上位レイヤシグナリング（ＲＲＣ  ｓｉｇｎａｌｉｎｇ）によって設定されたスケジューリング情報及びＤＣＩ内の自身に関する情報フィールドに含まれる情報とを受信して、どのようにデータ伝送を行うかを決定する。
よって、下り制御チャネルのリソースオーバーヘッドを低減でき、異なる端末の下り制御チャネル同士の衝突確率を低減し、伝送遅延を低減することに寄与する。
【０１３０】
本開示の実施例は、メモリと、プロセッサと、前記メモリに格納されて前記プロセッサで実行されるコンピュータプログラムを含む基地局をさらに提供し、前記プロセッサは、前記プログラムを実行すると、上位レイヤシグナリングの事前設定と下り制御チャネルのマルチキャストとの組み合わせの方式を用いて、１つの下り制御情報ＤＣＩで少なくとも１つの端末のデータ伝送をスケジューリングするステップを実現する。
【０１３１】
本開示の実施例に係る基地局は、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【０１３２】
具体的には、図４に示すように、本開示の実施例に係る基地局は、プロセッサ４１と、バスインタフェース４２を介して前記プロセッサ４１に接続されるメモリ４３とを含む。前記メモリ４３は、前記プロセッサ４１が動作を実行する際に使用するプログラムとデータを記憶するために使用される。プロセッサ４１は、前記メモリ４３に格納されたプログラムとデータを呼び出して実行すると、上位レイヤシグナリングの事前設定と下り制御チャネルのマルチキャストとの組み合わせの方式を用いて、１つの下り制御情報ＤＣＩで少なくとも１つの端末のデータ伝送をスケジューリングするプロセスを実行する。
【０１３３】
本開示の実施例に係る基地局は、トランシーバ４４をさらに含むが、ここでは限定しない。
【０１３４】
ここで、トランシーバ４４は、バスインタフェース４２に接続され、プロセッサ４１による制御でデータを送受信するために使用される。
【０１３５】
なお、図４において、バスアーキテクチャは、任意数の相互接続するバスとブリッジを含み、具体的に、プロセッサ４１をはじめとする１つ又は複数のプロセッサとメモリ４３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ４４は、複数の部品であってもよく、即ち送信機と受信機を含み、伝送媒体でほかの各種類の装置と通信するユニットとして提供される。プロセッサ４１は、バスアーキテクチャと通常の処理を管理する。メモリ４３は、プロセッサ４１による操作実行に使用されるデータを記憶できる。
【０１３６】
上記実施例を実現するすべて又は一部のステップは、ハードウェアによって完成してもよく、上記方法の一部又はすべてのステップを実行するコマンドを含むコンピュータプログラムで関連ハードウェアを指示して完成してもよく、かつ該コンピュータプログラムが読み取り可能な記憶媒体に記憶されてもよく、記憶媒体があらゆる形態の記憶媒体である。これは、当業者にとって自明である。
【０１３７】
具体的には、前記プロセッサは、異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【０１３８】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０１３９】
各グループのスケジューリング情報は、互いに異なる。
【０１４０】
更に、前記プロセッサは、異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示する。
【０１４１】
本開示の実施例において、前記共通探索空間の送信時間間隔は、１スロットｓｌｏｔ未満である。
【０１４２】
具体的には、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
（１）現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
（２）新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【０１４３】
本開示の実施例において、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【０１４４】
前記ＤＣＩにおける情報フィールド毎の長さは、前記スケジューリング情報の個数から決められる。
【０１４５】
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【０１４６】
各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【０１４７】
ここで、上記基地局側のスケジューリング方法に記載の実現実施例は、全て該基地局の実施例に適用可能であり、同じ技術効果を奏することもできる。
【０１４８】
本開示の実施例は、メモリと、プロセッサと、トランシーバと、前記メモリに格納されて前記プロセッサで実行されるコンピュータプログラムを含む端末をさらに提供し、前記プロセッサは、前記プログラムを実行すると、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を、前記トランシーバで受信するステップと、前記スケジューリング指示情報に基づいて、前記Ｎグループのスケジューリング情報から１グループの目標スケジューリング情報を決定するステップと、前記目標スケジュール情報に基づいて、データ伝送を行うか、又はスケジュールされていないことを取得するステップとを実現する。
【０１４９】
本開示の実施例に係る前記端末は、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を前記トランシーバで受信し、前記スケジューリング指示情報に基づいて、前記Ｎグループのスケジューリング情報から１グループの目標スケジューリング情報を決定し、前記目標スケジュール情報に基づいて、データ伝送を行うか、又はスケジュールされていないことを取得する。それによって、基地局が、上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを実現することができる。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【０１５０】
具体的には、図５に示すように、本開示の実施例に係る端末は、プロセッサ５１と、バスインタフェース５２を介して前記プロセッサ５１に接続されるメモリ５３とを含む。前記メモリ５３は、前記プロセッサ５１が動作を実行する際に使用するプログラムとデータを記憶するために使用される。プロセッサ５１は、前記メモリ５３に格納されたプログラムとデータを呼び出して実行すると、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を、前記トランシーバ５４で受信するプロセスと、前記スケジューリング指示情報に基づいて、前記Ｎグループのスケジューリング情報から１グループの目標スケジューリング情報を決定するプロセスと、前記目標スケジュール情報に基づいて、データ伝送を行うか、又はスケジュールされていないことを取得するプロセスとを実行する。
【０１５１】
ここで、トランシーバ５４は、バスインタフェース５２に接続され、プロセッサ５１による制御でデータを送受信するために使用される。
【０１５２】
なお、図５において、バスアーキテクチャは、任意数の相互接続するバスとブリッジを含み、具体的に、プロセッサ５１をはじめとする１つ又は複数のプロセッサとメモリ５３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５４は、複数の部品であってもよく、即ち送信機と受信機を含み、伝送媒体でほかの各種類の装置と通信するユニットとして提供される。ユーザ端末によっては、ユーザインタフェース５５は、内部接続や外部接続する機器のインタフェースであってもよい。接続する機器は、キーパッド、ディスプレイ、スピーカ、マイクロフォン、ジョイスティックなどを含むが、それらに限られない。プロセッサ５１は、バスアーキテクチャと通常の処理を管理する。メモリ５３は、プロセッサ５１による操作実行に使用されるデータを記憶できる。
【０１５３】
上記実施例を実現するすべて又は一部のステップは、ハードウェアによって完成してもよく、上記方法の一部又はすべてのステップを実行するコマンドを含むコンピュータプログラムで関連ハードウェアを指示して完成してもよく、かつ該コンピュータプログラムが読み取り可能な記憶媒体に記憶されてもよく、記憶媒体があらゆる形態の記憶媒体である。これは、当業者にとって自明である。
【０１５４】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０１５５】
各グループのスケジューリング情報は、互いに異なる。
【０１５６】
具体的には、前記プロセッサは、具体的には、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する。
【０１５７】
また、前記プロセッサは、具体的には、第３上位レイヤシグナリングによって指示される情報フィールドのインデックスに基づいて、前記ＤＣＩ内の対応する情報フィールドから、前記端末のデータスケジューリングのためのスケジューリング指示情報を得る。
【０１５８】
具体的には、前記プロセッサは、具体的には、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信する。
【０１５９】
本開示の実施例において、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【０１６０】
ここで、上記端末側のスケジューリング方法に記載の実現実施例は、全て該端末の実施例に適用可能であり、同じ技術効果を奏することもできる。
【０１６１】
本開示の実施例は、コンピュータプログラムが格納されているコンピュータ読み取り可能な記憶媒体をさらに提供し、該プログラムがプロセッサによって実行されると、上記基地局側のスケジューリング方法のステップが実現され、又は、該プログラムがプロセッサによって実行されると、上記端末側のスケジューリング方法のステップが実現される。
【０１６２】
ここで、上記基地局側又は端末側のスケジューリング方法に記載の実現実施例は、全て該コンピュータ読み取り可能な記憶媒体の実施例に適用可能であり、同じ技術効果を奏することもできる。
【０１６３】
本開示の実施例は、基地局に応用されるスケジューリング装置をさらに提供し、図６に示すように、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする第１処理モジュール６１を含む。
【０１６４】
本開示の実施例に係る前記スケジューリング装置は、上位レイヤシグナリングの事前設定と下り制御チャネルのマルチキャストとの組み合わせの方式を用いて、１つの下り制御情報ＤＣＩで少なくとも１つの端末のデータ伝送をスケジューリングする。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【０１６５】
具体的には、前記第１処理モジュールは、第１処理サブモジュールと第２処理サブモジュールを含む。前記第１処理サブモジュールは、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、ここで、異なる端末に対応する第１上位レイヤシグナリングが異なる。前記第２処理サブモジュールは、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する。
【０１６６】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０１６７】
各グループのスケジューリング情報は、互いに異なる。
【０１６８】
更に、前記第１処理モジュールは、第３処理サブモジュールを更に含む。前記第３処理サブモジュールは、対応する端末のデータスケジューリングのためのスケジューリング指示情報の前記ＤＣＩにおける情報フィールドのインデックスを、異なる第３上位レイヤシグナリングによりそれぞれ指示し、異なる端末に対応する第３上位レイヤシグナリングが異なる。
【０１６９】
本開示の実施例において、前記共通探索空間の送信時間間隔は、１スロットｓｌｏｔ未満である。
【０１７０】
具体的には、前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される。
（１）現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれる。
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送される。
（２）新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられる。情報フィールドと所定の端末との関係は、第３上位レイヤシグナリングで指示される情報フィールドインデックスによって決められる。前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである。
【０１７１】
本開示の実施例において、前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる。
【０１７２】
前記ＤＣＩにおける情報フィールド毎の長さは、前記スケジューリング情報の個数から決められる。
【０１７３】
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓである。
【０１７４】
各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、前記残りのスケジューリング内容は、前記完全なスケジューリング内容のうち、スケジューリング情報に含まれない内容である。
【０１７５】
ここで、上記基地局側のスケジューリング方法に記載の実現実施例は、全て該スケジューリング装置の実施例に適用可能であり、同じ技術効果を奏することもできる。
【０１７６】
本開示の実施例は、端末に応用されるスケジューリング装置をさらに提供し、図７に示すように、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信する第１受信モジュール７１と、前記スケジューリング指示情報に基づいて、前記Ｎグループのスケジューリング情報から１グループの目標スケジューリング情報を決定する第１決定モジュール７２と、前記目標スケジュール情報に基づいて、データ伝送を行うか、又はスケジュールされていないことを取得する第２処理モジュール７３とを含む。
【０１７７】
本開示の実施例に係る前記スケジューリング装置は、第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信し、前記スケジューリング指示情報に基づいて、前記Ｎグループのスケジューリング情報から１グループの目標スケジューリング情報を決定し、前記目標スケジュール情報に基づいて、データ伝送を行うか、又はスケジュールされていないことを取得する。それによって、基地局が、上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを実現することができる。即ち、基地局は、上位レイヤシグナリングによってスケジューリング情報を設定した後、ＤＣＩにおける端末固有（ＵＥ−ｓｐｅｃｉｆｉｃ）情報フィールドによって、端末に対して、対応するスケジューリング情報を通知する。それによって、下り制御チャネルのリソースオーバーヘッドを低減でき、異なる端末の下り制御チャネル同士の衝突確率を低減し、伝送遅延を低減することに寄与する。
【０１７８】
ここで、各グループのスケジューリング情報は、完全なスケジューリング内容を含み、又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される。
【０１７９】
各グループのスケジューリング情報は、互いに異なる。
【０１８０】
具体的には、前記第１受信モジュールは、第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信する第４処理サブモジュールを含む。
【０１８１】
また、前記第１受信モジュールは、第３上位レイヤシグナリングによって指示される情報フィールドのインデックスに基づいて、前記ＤＣＩ内の対応する情報フィールドから、前記端末のデータスケジューリングのためのスケジューリング指示情報を得る第５処理サブモジュールを含む。
【０１８２】
具体的には、前記第１受信モジュールは、基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信する第６処理サブモジュールを含む。
【０１８３】
本開示の実施例において、前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである。
【０１８４】
ここで、上記端末側のスケジューリング方法に記載の実現実施例は、全て該スケジューリング装置の実施例に適用可能であり、同じ技術効果を奏することもできる。
【０１８５】
なお、この明細書に記載の多くの機能的部材は、その実現方式の独立性を強調するために、モジュール／サブモジュールと称される。
【０１８６】
本開示の実施例において、モジュール／サブモジュールは、各種類のタイプのプロセッサによって実行されるよう、ソフトウェアによって実現される。たとえば、１つの標識される実行可能なコードモジュールは、コンピュータ指令の１つ又は複数の物理又は論理ブロックを含み、たとえば、対象、プロセス又は関数として構築される。それにかかわらず、標識されるモジュールの実行可能なコードは、物理的に一緒に位置する必要がなく、異なるビットに記憶される異なる指令を含み、これらの指令が論理的に結合すると、モジュールを設定して当該モジュールの所定の目的を実現する。
【０１８７】
実際に、実行可能なコードモジュールは、１つ又は複数の指令であり、異なるコードセグメント、異なるプログラムに位置してもよく、複数の記憶機器を跨いで位置してもよい。同様に、オペレーティングデータは、モジュール内で識別可能であり、あらゆる適切な形式で実現可能であり、あらゆる適切なタイプのデータ構造に組織されることもできる。前記オペレーティングデータは、単一のデータセットとして収集され、又は異なる位置に分布し（異なる記憶機器にあることを含む）、少なくとも一部が電子信号のみとしてシステム又はネットワークに存在する。
【０１８８】
モジュールがソフトウェアによって実現可能である場合、関連技術でハードウェア工程のレベルを考慮し、ソフトウェアで実現可能なモジュールは、コストを考慮しない場合、当業者が対応するハードウェア回路を構築して対応な機能を実現することができる。前記ハードウェア回路は、通常のＶＬＳＬ回路、ゲートアレイ、又は、論理チップやトランジスタといった関連技術の半導体やほかの分離素子を含む。モジュールは、フィールドプログラマブルゲートアレイ、プログラマブルアレイロジック、プログラマブルロジックデバイスなどのプログラマブルハードウェアデバイスで実現可能である。
【０１８９】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021533709.tif 000004
【図２】
2021533709.tif 000005
【図３】
2021533709.tif 000006
【図４】
2021533709.tif 000007
【図５】
2021533709.tif 000008
【図６】
2021533709.tif 000009
【図７】
2021533709.tif 000010
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
基地局に応用されるスケジューリング方法であって、
上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることを含む、スケジューリング方法。
【請求項２】
前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、
異なる端末に対応する第１上位レイヤシグナリングが異なるように、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信することと、
共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送することとを含み、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得し、
前記ＤＣＩは、現在定義されている下り制御情報フォーマットＤＣＩ  ｆｏｒｍａｔを多重化して送信され、又は、新たに追加されたＤＣＩ  ｆｏｒｍａｔを用いて送信される、請求項１に記載のスケジューリング方法。
【請求項３】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示される、請求項２に記載のスケジューリング方法。
【請求項４】
各グループのスケジューリング情報は、互いに異なり、
前記の上位レイヤシグナリングの事前設定と下り制御チャネルのマルチキャストとの組み合わせの方式を用いて、１つの下り制御情報ＤＣＩで少なくとも１つの端末のデータ伝送をスケジューリングすることは、さらに、
異なる端末に対応する第３上位レイヤシグナリングが異なるように、対応する端末のデータスケジューリングのためのスケジューリング指示情報の前記ＤＣＩにおける情報フィールドのインデックスを、異なる第３上位レイヤシグナリングによりそれぞれ指示することを含む、請求項２又は３に記載のスケジューリング方法。
【請求項５】
前記共通探索空間の送信時間間隔は、１スロットｓｌｏｔ未満である、請求項２に記載のスケジューリング方法。
【請求項６】
現在定義されているＤＣＩ  ｆｏｒｍａｔを多重化する場合、基地局が、現在定義されている１つのＤＣＩ  ｆｏｒｍａｔを前記Ｚ個の端末のスケジューリング情報の伝送に用いることを所定のフラグで指示する際に、前記ＤＣＩ  ｆｏｒｍａｔに前記Ｚ個の端末の情報フィールドが含まれ、
ここで、前記所定のフラグは、巡回冗長検査ＣＲＣをスクランブルするために使用される異なる無線ネットワーク一時識別子ＲＮＴＩ値、又は固定ビットｆｒｏｚｅｎ  ｂｉｔｓ上で搬送される指示情報、又は前記ＤＣＩに含まれる明示的指示情報フィールドであり、又は前記ＤＣＩに含まれる所定の情報フィールドは、所定の値に設定され、又は前記ＤＣＩは、所定の番号の探索空間内で伝送され、または、
新たに追加されたＤＣＩ  ｆｏｒｍａｔを用いる場合、前記ＤＣＩ  ｆｏｒｍａｔに前記Ｚ個の端末の情報フィールドが含まれ、各情報フィールドは、所定の端末のスケジューリングに用いられ、
情報フィールドと所定の端末との関係は、第３上位レイヤシグナリングで指示される情報フィールドインデックスによって決められ、
前記ＤＣＩ  ｆｏｒｍａｔの長さは、初期帯域幅部分ｉｎｉｔｉａｌ  ＢＷＰから決定されるＤＣＩ  ｆｏｒｍａｔ０−０又はＤＣＩ  ｆｏｒｍａｔ１−０の長さと同じである、請求項５に記載のスケジューリング方法。
【請求項７】
前記ＤＣＩにおいてスケジューリング指示情報の伝送に使用可能なビット長Ｘ（Ｘは、０よりも大きい正数）及び情報フィールド毎の長さＬ（Ｌは、０よりも大きい正数）から、前記ＤＣＩに含まれる情報フィールドの数Ｍ（Ｍ＝Ｆｌｏｏｒ（Ｘ／Ｌ））が決められる、請求項２又は６に記載のスケジューリング方法。
【請求項８】
前記ＤＣＩにおける情報フィールド毎の長さは、前記スケジューリング情報の個数から決められ、
ここで、各グループのスケジューリング情報が完全なスケジューリング内容を含み、且つＮ種類の異なるスケジューリング情報が設定される場合、ＤＣＩにおける情報フィールド毎の長さは、ｃｅｉｌ（ｌｏｇ２（Ｎ））ｂｉｔｓ又はｃｅｉｌ（ｌｏｇ２（Ｎ＋１））ｂｉｔｓであり、
又は、各グループのスケジューリング情報が完全なスケジューリング内容のうちの一部のスケジューリング内容を含む場合、前記ＤＣＩにおける情報フィールドは、第１上位レイヤシグナリングによって設定されたスケジューリング内容を指示し、且つ残りのスケジューリング内容を同時に動的に指示することが可能であり、
前記残りのスケジューリング内容は、前記完全なスケジューリング内容のうち、スケジューリング情報に含まれない内容である、請求項２又は３に記載のスケジューリング方法。
【請求項９】
端末に応用されるスケジューリング方法であって、
第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信することと、
前記スケジューリング指示情報に基づいて、前記Ｎグループのスケジューリング情報から１グループの目標スケジューリング情報を決定することと、
前記目標スケジュール情報に基づいて、データ伝送を行うか、又はスケジュールされていないことを取得することとを含む、スケジューリング方法。
【請求項１０】
各グループのスケジューリング情報は、完全なスケジューリング内容を含み、
又は、各グループのスケジューリング情報は、完全なスケジューリング内容のうちの一部のスケジューリング内容を含み、残りのスケジューリング内容は、予め定義されて決められ、又は、予め第２上位レイヤシグナリングによって設定され、又は、物理レイヤシグナリングによって動的に指示され、
各グループのスケジューリング情報は、互いに異なり、
前記の第１上位レイヤシグナリングによって設定されたＮグループのスケジューリング情報及び下り制御情報ＤＣＩ内の前記端末に関する情報フィールドに含まれるスケジューリング指示情報を受信することは、
基地局によって設定された物理下り制御チャネル監視タイミングＰＤＣＣＨ  ｍｏｎｉｔｏｒｉｎｇ  ｏｃｃａｓｉｏｎに基づいて、Ｚ（Ｚは、１以上の正の整数であり、且つＹ（Ｙは、基地局からＮグループのスケジューリング情報が設定された端末の総数）以下である）個の端末のスケジューリング指示情報を含むＤＣＩを検出して受信することを含む、請求項９に記載のスケジューリング方法。
【請求項１１】
前記の第１上位レイヤシグナリングによって設定されたＮグループのスケジューリング情報及び下り制御情報ＤＣＩ内の前記端末に関する情報フィールドに含まれるスケジューリング指示情報を受信することは、
第１上位レイヤシグナリングによって設定されたＮグループのスケジューリング情報、Ｚ（Ｚは、１以上の正の整数であり、且つＹ（Ｙは、基地局からＮグループのスケジューリング情報が設定された端末の総数）以下である）個の端末に関する情報フィールドを含むＤＣＩ、及び、第３上位レイヤシグナリングによって指示される、端末のデータスケジューリングのためのスケジューリング指示情報の前記ＤＣＩにおける情報フィールドのインデックスを受信することを含み、
前記の第１上位レイヤシグナリングによって設定されたＮグループのスケジューリング情報及び下り制御情報ＤＣＩ内の前記端末に関する情報フィールドに含まれるスケジューリング指示情報を受信することは、
第３上位レイヤシグナリングによって指示される情報フィールドのインデックスに基づいて、前記ＤＣＩ内の対応する情報フィールドから、前記端末のデータスケジューリングのためのスケジューリング指示情報を得ることを含む、請求項９に記載のスケジューリング方法。
【請求項１２】
前記ＤＣＩのフォーマットは、現在定義されている下り制御情報フォーマットＤＣＩ  ｆｏｒｍａｔであり、又は、Ｚ（Ｚは、１以上の正の整数であり、且つＹ（Ｙは、基地局からＮグループのスケジューリング情報が設定された端末の総数）以下である）個の端末のスケジューリングのために新たに追加されたＤＣＩ  ｆｏｒｍａｔである、請求項９に記載のスケジューリング方法。
【請求項１３】
基地局に応用されるスケジューリング装置であって、
上位レイヤシグナリングの事前設定と下り制御チャネルのマルチキャストとの組み合わせの方式を用いて、１つの下り制御情報ＤＣＩで少なくとも１つの端末のデータ伝送をスケジューリングする第１処理モジュールを含む、スケジューリング装置。
【請求項１４】
前記第１処理モジュールは、第１処理サブモジュールと第２処理サブモジュールを含み、
前記第１処理サブモジュールは、異なる第１上位レイヤシグナリングにより、予めＹ個（Ｙは、１以上の正の整数）の端末にＮ（Ｎは、１以上の正の整数）グループのスケジューリング情報をそれぞれ設定して、対応する端末にそれぞれ送信し、ここで、異なる端末に対応する第１上位レイヤシグナリングが異なり、
前記第２処理サブモジュールは、共通探索空間でＺ（Ｚは、１以上の正の整数であり、且つＹ以下である）個の端末に対し、下り制御チャネルが運ぶＤＣＩであって、前記Ｚ個の端末のそれぞれに関する情報フィールドを含むＤＣＩを伝送し、ここで、各情報フィールドにおけるスケジューリング指示情報によって、対応する端末に対し、受信された前記Ｎグループのスケジューリング情報のうちの１グループに基づいてデータ伝送を行うことを指示し、又はスケジューリングされていないことを取得する、請求項１３に記載のスケジューリング装置。
【請求項１５】
端末に応用されるスケジューリング装置であって、
第１上位レイヤシグナリングによって設定されたＮ（Ｎは、１以上の正の整数）グループのスケジューリング情報及び下り制御情報ＤＣＩ内の前記端末に関する情報フィールドに含まれるスケジューリング指示情報を受信する第１受信モジュールと、
前記スケジューリング指示情報に基づいて、前記Ｎグループのスケジューリング情報から１グループの目標スケジューリング情報を決定する第１決定モジュールと、
前記目標スケジュール情報に基づいて、データ伝送を行うか、又はスケジュールされていないことを取得する第２処理モジュールとを含む、スケジューリング装置。
【国際調査報告】
2021533709.tif 000011
2021533709.tif 000012
2021533709.tif 000013
2021533709.tif 000014
2021533709.tif 000015
2021533709.tif 000016